(57)【要約】【課題】　発光ダイオードなどの点光源照明を複数用いて均一な光を射出可能な構造を備えることにより、小型であって、しかも光の強度にむらのない投写画像を表示することができる投写型液晶表示装置を提供する。【解決手段】 光反射性を備えた内壁(11)を有し導光路を構成するように中空状に形成された導光路ブロック(10)と、導光路ブロック(10)の一方の端面に対向して導光路に光を射出可能に配置された点光源アレイ(20)と、を備え、さらに、光源から射出された光を変調する光変調素子と、光変調素子によって変調された光を投写するレンズと、を備える。【選択図】　図１
2004110062.tif 000002
【特許請求の範囲】
【請求項１】
　互いに対向する端面を備え、一方の端面から入射した光を他方の端面まで導き出射する導光機能を、有する導光手段と、この導光手段の一方の端面側において複数の点光源が面状に配置された前記導光手段とは別体の点光源アレイと、を有する光源装置。
【請求項２】
　複数の点光源が面状に配置された点光源アレイと、この点光源アレイからの光を少なくとも一端側から入射させ混合させて他の端面側に導き出射させる導光手段と、を各々別体で備えてなる光源装置。
【請求項３】
　前記導光手段において、前記点光源アレイ側から光が入射する端面の外形と光が出射する端面の外形とが実質的に等しい請求項１又は２記載の光源装置。
【請求項４】
　前記点光源が単色発光の発光素子である請求項１又は２記載の光源装置。
【請求項５】
　前記点光源アレイは、異なる色の発光素子を組み合わせたものである請求項１又は２記載の光源装置。
【請求項６】
　前記導光手段は、透明材料の中実又は中空の導光体からなる請求項１乃至５のいずれか１項記載の光源装置。
【請求項７】
　前記点光源アレイと前記導光手段の光の入射端面の間に空気層が介在されてなる請求項1又は2記載の光源装置。
【請求項８】
　前記中空の導光体において、前記点光源アレイ側から光が入射する端面及び光が出射する端面以外の少なくとも一端面の導光手段内部側の面が金属反射面である請求項６記載の光源装置。
【請求項９】
　前記中実の導光体において、前記点光源アレイ側から光が入射する端面及び光が出射する端面以外の少なくとも一端面の導光手段内部側の面が、金属反射面又は該導光手段内に導かれる光に対する全反射面である請求項６記載の光源装置。
【請求項１０】
　前記反射面が、複数の平坦な反射面で構成され、前記導光体が多角柱形状を有する請求項６記載の光源装置。
【請求項１１】
　前記反射面が曲面で構成されてなる請求項６記載の光源装置。
【請求項１２】
　前記導光手段における光が出射する端面の外形と該出射された光が照射される被照明体の光照射面の外形とが実質的に同様である請求項１又は２記載の光源装置。
【請求項１３】
　導光手段における光の入射側から出射側までの距離をＬ、点光源アレイにおける隣接する点光源間の間隔をＰ、点光源から放射される光の強度が当該光の光軸上の強度の１／２になる位置の光軸からの角度をθとして、Ｌ≧Ｐ／（tanθ）の関係を満たすように構成されてなる請求項１乃至１２のいずれか１項記載の光源装置。
【請求項１４】
　前記点光源は発光ダイオードである請求項1乃至１３のいずれか1項記載の光源装置。
【請求項１５】
　請求項1乃至１４のいずれか記載の光源装置と、前記導光手段の光が出射する端面に対向して配置され、当該導光手段からの光を変調する部材と、を有する光学装置。
【請求項１６】
　前記導光手段における光が出射する端面の外形面積が、前記導光手段からの光を変調する部材の光照射面の外形面積と実質的に同じである請求項１５記載の光学装置。
【請求項１７】
　請求項１乃至１４のいずれか１項記載の光源装置と、前記導光手段の光が出射される端面側に対向して配置され、前記導光手段から出射された光を変調する液晶表示素子と、を有する液晶表示装置。
【請求項１８】
　さらに、前記液晶表示素子により光変調された出射光の光路上に配置された拡大レンズと、を有する請求項１７記載の液晶表示装置。
【請求項１９】
　さらに、前記拡大レンズにより前記液晶表示素子の像が投映可能に構成されたスクリーンと、を有する請求項１８記載の液晶表示装置。
【請求項２０】
　前記導光手段における光が出射する端面の外形面積が、前記液晶表示素子の表示面の外形面積と実質的に同じである請求項１７記載の液晶表示装置。
【請求項２１】
　光反射性を備えた内壁を有し導光路を構成するように中空状に形成された、導光手段としての導光路ブロックと、この導光路ブロックの一方の端面に対向して前記導光路に光を射出可能に複数の点光源が面状に配置された点光源アレイと、を備える光源装置。
【請求項２２】
　前記導光路ブロックは、前記内壁が複数の平坦な反射面で構成された多角柱形状を有する請求項２１に記載の光源装置。
【請求項２３】
　前記導光路ブロックは、前記内壁が曲面で構成された円柱形状を有する請求項２１に記載の光源装置。
【請求項２４】
　前記導光路ブロックは、前記点光源アレイが配置された側の端面、該点光源アレイが設けられた端面と対向する光を出射する端面、及び光反射性を備えた内壁に対応する４つの側面から構成される四角柱形状を有する請求項２１記載の光源装置。
【請求項２５】
　前記点光源は、発光ダイオードである請求項２１乃至２４のいずれか1項記載の光源装置。
【請求項２６】
　請求項２１乃至２５のいずれか１項に記載の光源装置と、前記導光路ブロックの光が出射する端面に対向して配置され、この導光路ブロックからの光を変調する部材を有する光学装置。
【請求項２７】
　前記導光路ブロックにおける光が出射する端面の外形面積が、この導光路ブロックからの光を変調する剖材の光照射面の外形面積と実質的に同様の大きさである請求項２６記載の光学装置。
【請求項２８】
　請求項２１乃至２５のいずれか１項記載の光源装置を備えた液晶表示装置であって、前記導光路ブロックの光の出射する端面に対向して配置され、この導光路ブロックから出射された光を変調可能に構成された液晶表示素子を備え、この液晶表示素子の光射出側から画像を直視可能に構成されている液晶表示装置。
【請求項２９】
　請求項２１乃至２５の何れか１項に記載の光源装置を備えた液晶表示装置であって、前記導光路ブロックの他方の端面に対向して配置され、、この導光路ブロックから出射された光を変調可能に構成された液晶表示素子と、この液晶表示素子により光変調された出射光の光路上に配置された拡大レンズと、を備える液晶表示装置。
【請求項３０】
　前記拡大レンズにより前記液晶表示素子の像が投影可能に構成されたスクリーンをさらに備える請求項２９記載の液晶表示装置。
【請求項３１】
　請求項１乃至１４、２１乃至２５の何れか１項に記載の光源装置を複数備えた液晶表示装置であって、前記光源装置は、各原色の波長領域の光を射出可能に構成されるものであり、該光源装置と前記導光手段の光の出射する端面に対向して配置され、前記導光路から射出された光を変調可能に構成された液晶表示素子と、からなる特定色変調ユニットを原色に対応させて備え、各特定色変調ユニットから射出された光を合成可能に構成された色合成手段と、この色合成手段により合成された射出光の光路上に配置された投写レンズと、を備える液晶表示装置。
【請求項３２】
　請求項１乃至１４、２１乃至２５のいずれか１項記載の光源装置を複数備えた液晶表示装置であって、この光源装置は白色光を出射するものであり、該光源装置と前記導光手段の光の出射する端面に対向して配置され、前記導光路から射出された光を変調する液晶表示素子と、各原色の波長領域の光を透過可能に構成されたフィルタと、からなる特定色変調ユニットを原色に対応させて備え、各特定色変調ユニットから射出された光を合成可能に構成された色合成手段と、この色合成手段により合成された射出光の光路上に配置された投写レンズと、を備える液晶表示装置。
【請求項３３】
　前記色合成手段がダイクロイックプリズムである請求項３１又は３２記載の液晶表示装置。
【請求項３４】
　それぞれ三原色光を発光する複数の発光素子が面状に配置された点光源アレイと、この点光源アレイとは別体で、該点光源アレイからの光を一端面から入射させて他の端面側に導く導光体と、を備えてなる光源装置。
【請求項３５】
　各色を発光する発光素子を同時或いは順次点灯する回路が設けられている請求項３４記載の光源装置。
【請求項３６】
　単色光を発光する複数の発光素子が面状に配置された点光源アレイと、この点光源アレイからの光を一端面から入射させて他の端面側に導く導光体と、を備え、この導光体の入射面又は出射面に対向して、前記単色光を白色光へ変換する蛍光フィルムが配置されてなる光源装置。
【請求項３７】
　前記点光源アレイと前記導光手段との間に空気層が配置されている請求項３４乃至３６のいずれか１項記載の光源装置。
【請求項３８】
　前記導光体が中空のものであり、前記点光源アレイ側から光が入射する端面及び光が出射する端面以外の少なくとも一端面の前記導光体内部の面が金属反射面である請求項３４乃至３６の何れか１項に記載の光源装置。
【請求項３９】
　前記導光体が中実のものであり、前記点光源アレイ側から光が入射する端面及び光が出射する端面以外の少なくとも一端面の前記導光体内部の面が金属反射面又は当該導光体内に導かれる光に対して全反射面である請求項３４乃至３６記載の光源装置。
【請求項４０】
　導光手段における光の入射側から出射側までの距離をＬ、点光源アレイにおける隣接する点光源間の間隔をＰ、各ＬＥＤから放射される光の強度が点光源からの放射される光の強度が当該光の光軸上の強度の１／２になる位置の光軸からの角度をθとして、Ｌ≧Ｐ／（tanθ）の関係を満たすように構成されてなる請求項３４乃至３９のいずれか１項記載の光源装置。
【請求項４１】
　前記発光素子が発光ダイオードである請求項３４乃至４０のいずれか１項記載の光源装置。
【請求項４２】
　請求項３４乃至４０のいずれか1項記載の光源装置と、前記導光手段の光が出射する端面に対向して配置され、前記導光手段からの光を変調する部材と、を有する光学装置。
【請求項４３】
　前記導光手段における光が出射する端面の外形面積が、前記導光手段からの光を変調する部材の光照射面の外形面積と実質的に同様の大きさである請求項４０記載の光学装置。
【請求項４４】
　請求項３３乃至４０のいずれか１項記載の光源装置と、前記導光手段の光の出射端面に対向して配置され導光体からの光を変調する液晶表示素子と、を備える液晶表示装置。
【請求項４５】
　前記液晶表示素子に対して導光体と反対側に配置された投射レンズを有する請求項４４記載の液晶表示装置。
【請求項４６】
　それぞれ3原色光を発光する複数の発光素子が面状に配置された点光源アレイと、この点光源アレイからの光を一端面から入射させ他の端面側に導く導光体とを備えた光源装置と、前記導光体の光の出射端面に対向して配置され液晶表示素子とを備えた液晶表示装置であって、前記各色の発光素子が順次点灯されるのと同期して各色毎に分離された画像信号に基いて前記液晶表示素子が各色の光を変調し画像を形成することを特徴とする液晶表示装置。
【請求項４７】
　互いに対向する端面を備え、一方の端面から入射した光を他方の端面まで導き射出する導光手段と、
　前記導光手段における前記一方の端面の側に配置され、複数の光源によって構成された光源部と、
　前記導光手段における前記他方の端面の側に配置され、前記光源から射出された光を変調する光変調素子と、
　前記光変調素子によって変調された光を投写するレンズと、
　を備えたプロジェクタ。
【請求項４８】
　前記レンズからの光が投写されるスクリーンをさらに備えたことを特徴とする請求項４７に記載のプロジェクタ。
【請求項４９】
　前記複数の光源は複数の発光ダイオードであることを特徴とする請求項４７に記載のプロジェクタ。
【請求項５０】
　前記光変調素子が液晶表示素子であることを特徴とする請求項４７に記載のプロジェクタ。
【発明の詳細な説明】
【技術分野】
【０００１】
　本発明は、プロジェクタに関するものである。
【背景技術】
【０００２】
　従来、液晶表示素子の画像を拡大投写して表示を行うプロジェクタとして、一枚の液晶表示素子を背面からメタルハライドランプで照明し、液晶表示素子に表示される画像を投写レンズで拡大投写するように構成されたものがあった。
【０００３】
　例えば、特開昭６２−２３７４８５号公報や特開平３−７５７３７号公報、特開平８−１１１１０７号公報等には、光源としてメタルハライドランプやハロゲンランプを使用し、これら光源から射出された光を中空の導光構造で伝播させて液晶表示素子へ導くという発明の構成が記載されている。
【特許文献１】特開昭６２−２３７４８５号公報
【特許文献２】特開平３−７５７３７号公報
【特許文献３】特開平８−１１１１０７号公報
【発明の開示】
【発明が解決しようとする課題】
【０００４】
　しかしながら上記従来技術では、光源としてランプを使用しているため、光源自体の大きさを小型にするには限界がある。したがって、プロジェクタ全体を小型化することは困難であった。近年は、携帯型情報端末装置が多く出回り、プロジェクタとしても６０インチを超えるような大きなサイズで画像を投写する必要が必ずしもない。例えば、投写される画像のサイズが１０インチや２０インチ程度と小さくてよい場合も考えられる。このような投写される画像のサイズでは光源として発光素子（発光ダイオードや半導体レーザ等）などが使用可能となるため、プロジェクタのサイズを極端に小型化できることが期待される。
【０００５】
　ところが、発光素子などの小型の発光装置は概して点光源であるため、一定の面積を有する液晶表示素子に均一に照明することが困難である。複数の発光ダイオードを並べて広い面積を照明しようとしても、結局、点光源の集合に過ぎないため、二次元平面内で光の強度にむらが生じてしまう。
【０００６】
　また、発光ダイオードの２次元配列を光源とするブロジェクタの技術が特開平１０−１２３５１２に開示されている。点光源である発光ダイオードからの放射光を有効に液晶表示素子に導くために、各発光ダイオードに対応して形成されたレンズ要素の配列であるマイクロレンズアレイによって発光ダイオードからの光を平面光に変換している。
【０００７】
　しかし、マイクロレンズアレイでは、製造上の誤差などによって隣り合うレンズ要素の境界のレンズ作用が弱くなり、照明光の均一化が難しいという問題点がある。
【０００８】
　また、特開平９−７３８０７号公報のように、光軸を９０°屈曲させて光を導く構成は存在するが、点光源の光軸を直進させて平面光を得る技術は確立していない。
【０００９】
　本発明はこのような事情に鑑みなされたもので、複数の光源が面状に配置された小型化に適した光源構造を備えた投写型液晶表示装置（プロジェクタ）を提供することを目的とする。本発明の他の目的は、発光ダイオードなどの点光源照明を複数用いて均一な光を射出可能な構造を備えることにより、小型であって、しかも光の強度にむらのない投写画像を表示することができる投写型液晶表示装置を提供することである。
【課題を解決するための手段】
【００１０】
　この目的を達成するために、本発明は、互いに対向する端面を備え、一方の端面から入射した光を他方の端面まで導き射出する導光手段と、前記導光手段における前記一方の端面の側に配置され、複数の光源によって構成された光源部と、前記導光手段における前記他方の端面の側に配置され、前記光源から射出された光を変調する光変調素子と、前記光変調素子によって変調された光を投写するレンズと、を備えたプロジェクタであることを特徴とする。
【００１１】
　また、本発明は、前記レンズからの光が投写されるスクリーンをさらに備えたことを特徴とする。またさらに、本発明は、前記複数の光源は複数の発光ダイオードであることを特徴とする請求項１に記載のプロジェクタであることを特徴とする。さらにまた、本発明は、前記光変調素子が液晶表示素子であることを特徴とする。
【００１２】
　以下に示す本発明の形態において、複数の光源は、例えば、複数の点光源が面状に配置された点光源アレイである。導光手段は、光源からの光を少なくとも一端側から入射させて均一に混合させて他の端面側に導き出射させる。光源と、導光手段は、各々別体で備わっている。
【００１３】
　本発明者が光源を小型化するために、面状に配置された点光源アレイと導光手段との関係について鋭意検討したところ、点光源に対する導光手段へ入射面と導光手段へ入射した光の出射面とを直線的或いは直列的になるようにすること、導光体において点光源からの入射光を均一に拡散できること、により前記目的が達成できることを見い出したものである。本発明は、かかる知見によってなされたものである。
【００１４】
　本発明において、前記点光源が単色発光の発光素子である。発光素子は、発光ダイオード（以下ＬＥＤという）、半導体レーザ（ＬＤ）等の点光源が適用可能であり、発光色に限定されるものではない。すなわち、単色（例えば、白色ＬＥＤやＢ（ブルー）に発光する発光ダイオード）を用いてもよい。
【００１５】
　Ｂ（ブルー）等の単色を用いる場合には、白色光に変換する波長変換素子を光路上に配置することが好ましい。本発明において、前記点光源が異なる色の発光素子であり、前記複数の光源は、この発光素子を組み合わせたものである。
【００１６】
　発光素子の組み合わせは、ＲＧＢの三原色はもちろん、三原色以外の色(例えば、橙、黄緑等)を用いても良く、２色又は4色以上の組み合わせであってもよい。
【００１７】
　前記導光手段は、透明材料である、中空又は中実の導光体からなる。導光体の第１の態様としては、中空の導光路ブロックであり、多角形形状であっても円筒形状であってもよい。また、中空導光路ブロック側面（内壁面・内周面）に金属反射面を備えているものも含む。さらに、導光体の第２の態様として、中空体に代えて中実体の導光路ブロックがある。この中実導光路ブロック側面に全反射面又は金属反射面を備えているものも含む。また、導光体をクラッドとコアとで構成された光ファイバを複数束ねた、所謂セルフォックレンズのような構成としてもよい。
【００１８】
　本発明のプロジェクタは、前記光源装置と、前記導光手段の光が出射する端面に対向した配置され、前記導光手段からの光を変調する部材である液晶表示素子と、液晶表示素子により光変調された出射光の光路上に配置された拡大レンズを有する。さらに、前記拡大レンズにより前記液晶表示素子の像が投映可能に構成されたスクリーンと、を有することでも良い。前記構成の光源装置の端面から出射する光を液晶表示素子に照射することにより、液晶表示素子に表示された画像を直視、拡大視、或いは投影視することが可能である。
【００１９】
　本発明では、光源装置から照射された光を、好ましくは、その光軸を曲げずに直進させ、その間に画像表示に必要な面積（領域）内を均一に照射させる導光手段を配置したことにあり、被照射領域（液晶表示装置の場合では画像表示領域）外への照射光漏れ出しを防いで被照射領域に有効に照射光を照射した。
【００２０】
　本発明における導光手段の例は、光反射性を備えた内壁を有し導光路を構成するように中空状に形成された導光路ブロックからなる。導光路ブロックの一方の端面に対向した複数の光源から導光路に光が射出可能になっている。この構成によれば、点光源アレイの中央に近い部分にある点光源から射出された光は導光ブロックの内壁で反射されずに導光路の他方の端面から射出される。一方、点光源アレイの周辺に近い部分にある点光源から射出された光は、導光ブロックの内壁で反射されて他方の端面から射出される。このような各点光源から異なる経路で射出された光は導光路内で均一に混合される。この導光路の光軸方向の長さを調整すると、導光路の光の射出面では光の強度が均一化される。
【００２１】
　ここで、例えば上記点光源は発光ダイオードである。また、例えば上記導光路ブロックは、内壁が複数の平坦な反射面で構成された多角柱形状（四角柱等）を有する。また例えば、上記導光路ブロックは、内壁が曲面で構成された円柱形状や楕円状の円柱形状を有する。
【００２２】
　尚、中空状の導光ブロックの端面とは、当該ブロックを中実と仮定したときに、この中実ブロックの端面に相当する面のことである。
【００２３】
　本発明は、導光路ブロックの他方の端面に対向して配置され、導光路から射出された光を変調可能に構成された液晶表示素子と、液晶表示素子により光変調された射出光の光路上に配置された拡大レンズと、を備えるので、例えば、直接レンズを覗くことにより液晶表示素子の像を確認可能なヘッドマウントディスプレイ等に用いられる。また本発明は、拡大レンズにより前記液晶表示素子の像が投映可能に構成されたスクリーンをさらに備えていてもよい。プロジェクタ等に適用可能な構成である。
【００２４】
　また本発明は、各原色の波長領域の光を射出可能に構成された光源装置と、導光手段の他方の端面に対向して配置され、導光路から射出された光を変調可能に構成された液晶表示素子と、からなる特定色変調ユニットを原色に対応させて備え、各特定色変調ユニットから射出された光を合成可能に構成されたダイクロイックプリズム等の色合成手段と、この合成手段で合成された射出光の光路上に配置された投写レンズと、を備えたものであっても良い。
【００２５】
　また本発明は、白色光を射出可能に構成された光源装置と、導光手段の他方の端面に対向して配置され、導光路から射出された光を変調可能に構成された液晶表示素子と、各原色の波長領域の光を透過可能に構成されたフィルタと、からなる特定色変調ユニットを原色に対応させて備え、各特定色変調ユニットから射出された光を合成可能に構成されたダイクロイックプリズムと、ダイクロイックプリズムにより合成された射出光の光路上に配置された投写レンズと、を備えたものであってもよい。前記光源装置は、それぞれ三原色光を発光する複数の発光素子が面状に配置された面光源アレイと、この面光源アレイからの入射光を出射光側に導く透明材料からなる導光体と、を備えてもよい。前記光源装置は、単色光を発光する複数の発光素子が面状に配置された面光源アレイと、この面光源アレイからの入射光を出射光側に導く透明材料からなる導光体と、を備え、この導光体の入射面又は出射面に対向して、前記単色光を白色光へ変更する蛍光フィルムが配置されてなるものでもよい。光源装置には、各色を発光する発光素子を同時或いは順次点灯する回路が設けられている。また、発光素子は、発光ダイオードで良い。
【００２６】
　本発明の他の形態では、液晶表示素子を前記発光ダイオードが順次点灯されるのと同期して各色毎に分離された画像信号に基づいて順次画像を形成する。 ここで、前記発光ダイオードとして、白色光が好ましい。白色光を生成する実施態様としては、白色ＬＥＤ或いはＲＧＢに発色する各ＬＥＤを混色させることが考えられる。また、単色（例えば青色）の発光ダイオードを適用した場合、前記導光体の入射面又は出射面に対向して、前記発光ダイオードで単色に発光する光を白色光へ変換する蛍光フィルムを配置すればよい。また、前記発光ダイオードが、三原色に基づく複数色で構成され、同時又は順次点灯され、それぞれ白色光を得るようになっている。順次点灯の場合には、人間の目の残像を利用する。
【００２７】
　さらに、本発明の他の形態は、前記発光ダイオードが、三原色に基づく複数色で構成され、順次点灯されると共に、前記液晶表示素子を前記発光ダイオードの順次点灯と同期して各色毎に分離された画像信号に基づいて順次画像を形成する、ことを特徴とするものであり、各色毎の画像を表示できるため、高解像度とすることができる。この場合も、残像によってカラー画像を得ることができる。本発明において、導光手段とは、光源からの光を導光する機能を実現する機能実現手段である。この導光手段の一態様が導光機能を実現する部材としての導光体であり、この導光体の一態様が導光路ブロックである。導光体には中空又は中実な部材が包含される。既述のように、好ましくは、導光体が中空である場合、その内面には光を全反射する特性を持つ手段である、金属反射膜が形成される。
【００２８】
　この導光体は光を均一に混合されるような形状、寸法を備えている。また、点光源アレイの構成についても、点光源の配列ピッチなど点光源アレイの特徴が、導光体において光の均一混合を可能ならしめるように調整されている。
【発明の効果】
【００２９】
　本発明によれば、発光ダイオードなどの点光源照明を複数用い光損失無く光を被照射領域、例えば液晶表示素子の表示エリアに導くことが可能な導光路の構造を備えたので、小型・軽量・安価であって、しかも光の強度にむらのない投写画像を表示することができる光源および投写型液晶表示装置を提供することができる。
【００３０】
　また、上記効果に加え、二次元的に配置された複数の発光素子から放射される光を、導光手段を伝播させることによって強度分布を一様化させ、例えば液晶表示装置を一様に照明できる小型の光源装置を構成できる効果を有する。
【００３１】
　さらに、上記効果に加え、発光素子としてＬＥＤを用いた場合には、電池での発光が可能であり、さらに小型化が可能である。　
【発明を実施するための最良の形態】
【００３２】
　次の本発明の好適な実施の形態を、図面を参照して説明する。　
【００３３】
(実施形態１)
　本発明の光源装置について説明する。図１に本実施形態における光源装置１００の斜視図を示す。図２に当該光源装置１００を光軸に沿って切断した場合の断面図を示す。この光源装置１００は、導光路ブロック１０とＬＥＤ（発光ダイオード）アレイ２０を備えている。
【００３４】
　導光路ブロック１０は、複数（四面）の壁面から構成された中空構造を有する角柱形状を備えている。その内壁は光反射性のある反射面１１で構成されている。導光路ブロック１０は例えば一壁面の大きさの鏡を鏡面が対向するように４枚貼り合わせて構成されている。ただし樹脂板などにＡｌなどの金属薄膜を蒸着したり反射性フィルムを接着剤で貼りつけたりしたものを４枚貼り合わせて構成してもよい。どのような構成を採用するにしろ、光の損失を抑えるために、導光路ブロック１０の内壁は光が全反射可能な程度に滑らかな鏡面に仕上げられている。
【００３５】
　ＬＥＤアレイ２０は、点光源である発光ダイオード（ＬＥＤ）２１を複数面状、例えば二次元的に集積して構成され導光路ブロックとは別体で、当該ブロックに対して好ましくは空気層を介して配置されている。各ＬＥＤ２１は各ＬＥＤの正負のリード線が並列接続されるようにパターニングされ、ＬＥＤの配置に対応させてインサートホールが形成されたた基板にはんだ付けされて固定される。ＬＥＤアレイ２０は、各ＬＥＤ２１の光の射出方向がほぼ同一方向を向くように揃えられた、導光路ブロック１０の断面積にほぼ等しい面積の発光面を備えている。このＬＥＤアレイ２０の発光面は導光路ブロック１０の一方の端面と対向する位置に配置される。望ましくは、導光路ブロック１０の内側にＬＥＤの発光部が収納可能に配置することが、光の漏れを無くする上で好ましい。そして各ＬＥＤ２０は、図示しない外部の電源によって同時に発光可能に構成されている例えば最適な順方向電流、例えば２０ｍＡ程度が各ＬＥＤ２１に流れるように電流制御されている。ＬＥＤの発光色は白色であることが、特にカラー表示をする場合には好ましい。
【００３６】
　又、赤色、緑色、青色の３原色の単色光を発光ＬＥＤを所定パターンで配置し全てを点灯させて白色平面光とすることもできる。この場合、下記の点で有利である。即ち、白色ＬＥＤを用いる場合、その構造としては例えば青色ＬＥＤからの光を蛍光体で色変換する構造となるが、この場合は一個の白色ＬＥＤの外形寸法が蛍光体の部分も含むことになるので大きくなる。
【００３７】
　これに対し、赤色、青色、又は緑色の原色を発光するＬＥＤは外形寸法が発光チップの大きさで済むため、これらを配置する方が、単位面積当たりに配置できる数が白色ＬＥＤを配置する場合に比べて多くすることができる。従って、赤色、青色、又は緑色の原色を発光するＬＥＤを配置して全点灯させて白色を得る場合では、より大きな強度の白色平面光を得ることができる。ただし、白色に代わり、赤色、緑色または青色の単色で発光するＬＥＤを単独で使用すれば、単色の光源装置を構成可能である。この単色の光源装置は、カラー表示装置の原色発光に使用され得るものである。
【００３８】
　なお、上記構成では点光源として先端に凸レンズ構造を備えた樹脂モールド型ＬＥＤを使用したが、平面状の樹脂パッケージを備えるＬＥＤや樹脂モールドで覆われていないＬＥＤチップを使用してもよい。さらに小電力で発光する点光源ならば他の発光原理によるもの、例えば半導体レーザ素子などを使用してもよい。
【００３９】
　既述した図１の構造の光源装置では、図２及び図３に示すようにＬＥＤアレイ２０からの光は、導光ブロック１０内でその内壁面（反射面１１）で反射されながら均一に混合され、ＬＥＤアレイ２０が設けられた面と対向する端面側から出射される。
【００４０】
　ここで、光源装置では、導光ブロック１０内でＬＥＤアレイ２０からの光が均一に混合され均一な強度の平面光が出射されるためには、図２に示す導光ブロック１０の導光路の長さＬ（＝Ｌ1）、ＬＥＤアレイにおける隣接するＬＥＤ間の間隔Ｐが、各ＬＥＤから放射される光の強度がＬＥＤからの光の光軸上の強度の半分になる位置の光軸からの角度をθとして、Ｌ≧Ｐ／（tanθ）の関係を満たすように設定される。このように設定することにより、隣接するＬＥＤからの放射光が加算されて強度分布の一様化が図られる。導光路の長さＬがＰ／（tanθ）未満であると、隣接するＬＥＤの間に強度の弱い場所が生じて、強度分布が一様にならない可能性がある。
【００４１】
　また、図２において、導光路ブロック１０の内径Ｄ１（断面積）と全長Ｌ1は適宜設計変更が可能である。内径Ｄ１、つまり内壁における縦幅と横幅はこの光源装置と組み合わせて使用する液晶表示素子の外形に対応して設定される。液晶表示素子の総ての画素に光を照射可能な内径となるように構成する。ＬＥＤアレイ２０も導光路ブロック１０に設定された内径に隙間無く光を入射可能なようにＬＥＤ２１数および配置が定められる。導光路ブロック１０の全長Ｌ１は、点光源からの光が反射面１１による反射によって分散されることにより、出力端面で十分均一な強度で光が射出されるような長さに設定される。例えば導光路ブロック１０の内径Ｄ１のサイズを横幅２４ｍｍ、縦幅１８ｍｍにするなら、ＬＥＤアレイ２０を合計４８個のＬＥＤ２１（直径３ｍｍ）を横８列、縦６列に並べて配置する。導光路ブロック１０の全長Ｌ１は３０ｍｍ程度になる。内径Ｄ１のサイズがさらに小さく、均一な強度の光を得るために長い導光路長が必要なら、図３に示すように、より小さな内径Ｄ２とし、より長い全長Ｌ２とすればよい。
【００４２】
　上記構成において、図２に示すように、ＬＥＤアレイ２０の中央に近い部分にあるＬＥＤ２１から射出された光は反射面１１で反射されずに導光路の他方の端面から射出される。一方、ＬＥＤアレイ２０の周辺に近い部分にあるＬＥＤ２１から射出された光は、反射面１１で反射されて他方の端面から射出される。このように各ＬＥＤ２１から射出された光は導光路ブロック１０内で混合される。この導光路ブロック１０の光軸方向の長さＬ１が適当に調整されていれば、導光路ブロック１０の光の射出面からは均一な強度の光が射出されることになる。この均一な強度の光は、プロジェクタやヘッドマウントディスプレイに使用される液晶表示素子への入射光に相応しい。
【００４３】
　上記したように本実施形態１の光源装置によれば、点光源であるＬＥＤからの光が導光路ブロック内を伝播する間に適切に混合され強度が均一化されて均一な平面光が出射されるので、プロジェクタやヘッドマウントディスプレイなど、各種液晶表示装置の光源として適する。
【００４４】
　またＬＥＤなどの点光源は小型・軽量かつ消費電力が少ないので電池など携帯型電源で駆動することが可能なため、携帯型の表示装置用照明として適する。
【００４５】
　さらに導光路ブロックは鏡面を貼り合わせたような簡単な構造を備えているので、製造が容易かつ安価に行える。　　
【００４６】
（実施形態２）　
　本発明の実施形態２は、実施形態１で説明した光源装置を使用するのに適する小型の投写型液晶表示装置である。図４に、本実施形態の投写型液晶表示装置３００の光学系構成図を示す。
【００４７】
　投写型液晶表示装置３００は、図４に示すように光源装置１００、液晶表示素子３０、投写レンズ３１、スクリーン３２が筐体３３に収められている。光源装置１００は上記実施形態１と同様のものを使用する。光源装置１００の発光色は白色とする。液晶表示素子３０は、図示しない駆動信号に応じて画素単位で光の透過、非透過を制御することが可能に構成されている。すなわち液晶表示素子３０は、光源装置１００からの射出光を入射し、駆動信号の論理状態に応じて光変調し画像として出力可能になっている。具体的には、液晶表示素子は、規則的に配置されている液晶分子の配列や向きを電界や熱によって変えて、液晶層の光学特性を変化させて、光の透過／非透過を制御するものであり、公知の構造を種々に適用可能である。また、液晶表示素子３０はカラーフィルタを備え、原色に対応する複数の画素でカラー画素が構成されている。そして原色光の透過の有無を制御することでカラー表示可能になっている。
【００４８】
　投写レンズ３１は、液晶表示素子３０で光変調された画像をスクリーン３２に結像させることが可能に設計されている。スクリーン３２は半透明状で光を乱反射可能に構成され、投写レンズ３１の反対側から表示画像を観察可能になっている。
【００４９】
　なお、ヘッドマウントディスプレイ、ビューファインダーなどの液晶表示装置に本発明を適用する場合には、液晶表示素子を投写レンズの前側焦点距離より近い位置に配置して、投写レンズを覗くと拡大された液晶表示素子による画像が観察可能なように構成する。
【００５０】
　また、パーソナルコンピュータや携帯型電子端末に利用される直視形の液晶表示装置に本発明を適用する場合には、投写レンズやスクリーンを省き、直接液晶表示素子を観察可能なように構成する。
【００５１】
　上記構成によれば、光源装置１００からは均一な強度の白色光が射出され、液晶表示素子３０で色彩を含めた光変調を受ける。光変調を受けた画像はそのまま直視可能であるが、さらに拡大して表示するために投写レンズ３１で屈折を受ける。そしてスクリーン３２には投写レンズ３１とスクリーン３２との距離で定まる拡大率で光変調された画像が拡大表示される。
【００５２】
　なお、投写画像の拡大率を大きくするためにより強い光量が必要な場合には、図５に示すように、原色ごとに液晶表示素子を備えた投写型液晶表示装置の構成にしてもよい。図５の投写型液晶表示装置４００は、原色ごとに光源装置１００とフィルタ４０を備え、さらにダイクロイックプリズム４１、投写レンズ４２、スクリーン４３および筐体４４を備える。フィルタ４０（Ｒ，Ｇ，Ｂ）は光源装置１００からの白色光を各原色の光に変換するものである。フィルタ４０（Ｒ、Ｇ、Ｂ）は光源装置１００と液晶表示素子３０の間に配列されていても良い。なお、光源装置１００の発光色を規定するＬＥＤ２１を各原色で発光する素子で構成するならば、フィルタ４０は不要である。白色発光のＬＥＤとフィルタとを組み合わせるよりも高い発光量が期待できる。ダイクロイックプリズム４１は、赤色のみを反射可能な多層膜４１Ｒと青色のみを反射可能な多層膜４１Ｂを備え、原色ごとに光変調された画像を合成し、投写レンズ４２に向けて射出可能に構成されている。投写レンズとスクリーンについては実施形態１と同様である。この投写型液晶表示装置では、明るい画像が得られることが期待できる。　
【００５３】
（変形例）
　本発明は上記実施形態に拘束されることなく種々に変更して適用することが可能である。例えば光源装置において、導光路ブロックはその断面形状を上記したような四角柱状に限らず、液晶表示素子の表示領域の外形に合わせた他の形状、三角柱、五角柱その他の多角形状に構成してもよい。さらに内壁が曲面で構成され、断面が円や楕円を呈する円柱形状に構成してもよい。また、導光路を構成する中空構造を空洞にしておく他、透明材料を充填してもよい。
【００５４】
　点光源アレイとしては、上記したようにＬＥＤ以外の点光源を用いることができる。またアレイ形状は上記した一面の二次元的配置に限らず、二段構造とし下層からの射出光が上層のＬＥＤによって遮蔽されにくく構成してもよい。すなわち、点光源アレイの形状は、点光源アレイの投影形状がこれに臨む導光ブロックの端面にほぼ等しい平面状になるようなものであれば良い。
【００５５】
（実施形態３）
　図６及び図７に従い、本発明に係る実施の形態３について説明する。アクリル樹脂の角棒である導光体１０２の一端面（入射端面）に対向して導光体１０２とは別体で点光源となる発光ダイオード（ＬＥＤ）１０３が面状、具体的には２次元上に配置されている。導光体１０２のもう一方の端面（出射端面）に対向して液晶表示素子１０１が配置されている。導光体１０２の出射端面から出射した光で液晶表示素子１０１を照射する。液晶表示素子１０１に表示される画像は投写レンズ１０４で拡大され、スクリーン１０５に投写される。
【００５６】
　液晶表示素子１０１の表示領域の大きさは例えば10.2mm×7.6mm（対角で0.5インチ）で、画素毎にカラーフィルタを備えたカラー表示が可能な素子である。
【００５７】
　導光体１０２は、上下した液晶表示素子１０１及びＬＥＤ１０３に対向する端面の大きさが12mm×8mm、長さが50mmである。導光体の端面の外形寸法は、液晶表示体素子１０１の表示領域の大きさ10.2mm×7.6mmで良いが、本実施形態では表示領域より若干大きくしている。また導光体中を伝播する光は導光体１０２の側面で全反射を繰り返すが、散乱による光の損失を抑制するためにこの側面は鏡面又は全反射面となっている。
【００５８】
　導光体１０２の材質としては、アクリル以外の透明樹脂、或いはガラス等も用いることができる。
【００５９】
　ＬＥＤ１０３の放射光の色は白色である。ＬＥＤ１０３は、発光素子が例えば樹脂で覆われている構造を有し、その先端にはレンズ形状が形成されている。ＬＥＤ１０３の直径は3mmであり、導光体１０２の入射端面に対向して６個のＬＥＤが３×２の二次元配列として配置されている。
【００６０】
　各ＬＥＤから放射された光は導光体１０２を伝播するうちに混合して強度分布が一様化され、液晶表示素子１０１の表示領域を一様に照明する。導光体１０２の長さは、表示領域の大きさ、ＬＥＤ１０３の数や配列の間隔、あるいは先端のレンズ形状による放射光の指向性に依存して最適化する必要がある。
【００６１】
　好ましくは、導光体１０２内で均一に光を混合し、均一な強度分布の平面光を出射させるために、導光体１０２で導光路の長さＬ、隣接するＬＥＤ１０３間の間隔Ｐは、各ＬＥＤから放射される光の強度がＬＥＤからの光の光軸上の強度分布の半分になる位置の光軸からの角度θとし、Ｌ≧Ｐ／（tanθ）の関係を満たすように設定される。このように設定することにより、隣接するＬＥＤからの放射光が加算されて強度分布の一様化が図られる。導光路の長さＬがＰ／（tanθ）未満であると、隣接するＬＥＤの間に強度の弱い場所が生じて、強度分布にムラが生じる可能性がある。
【００６２】
　尚、ＬＥＤ１０３のアレイは導光体１０２とは別体で好ましくは該導光体１０２とは空気層を介して設けられる。かかる構造において、導光体の光出射面以外の側部内壁を研磨等の処理をすることで、導光体内では当該側部内壁で光が全反射して光が混合し強度分布が一様化する。また、中実の導光体１０２であっても、側部端面に金属薄膜等の反射膜を設けてもよい。
【００６３】
　投写レンズ１０４は複数枚のレンズから構成され、例えば直径は30mmである。表示領域が対角0.5インチの液晶表示素子１０１の画像を、対角７インチに拡大してスクリーン１０５に投写する。
【００６４】
　液晶表示素子１０１にビデオ画像やテレビ画像を表示させる場合には、液晶表示素子に接続される表示回路（図示せず）には周知な回路を用い、５Ｖ程度の直流電圧で表示が可能である。また、ＬＥＤ１０３は３Ｖ程度の直流電圧で発光するので、本実施の形態（実施形態３）の液晶表示素子の電源としては電池を用いることができる。従って、光源としてメタルハライドランプ等を用いた従来の投写型液晶表示装置に比べて装置全体を格段に小型化できる。
【００６５】
　本実施の形態（実施形態３）では、カラーフィルタを用いた液晶表示装置を白色ＬＥＤで照明する表示装置の構成を説明したが、カラーフィルタを省いた液晶表示素子を単色、例えば緑色で発光するＬＥＤ、で照明した単色の画像を混合する又は時分割で一画面に投写しカラー画像を得る装置を構成することも可能である。
【００６６】
　また、ＬＥＤ１０３として、光が出射する部分にレンズ形状を有する構造のＬＥＤを用いたが、光が出射する部分が平端面であるＬＥＤを用いることも可能である。この場合には、液晶表示素子における正面光の分布を一様にするために、導光体１０２の長さを最適化する必要がある。
【００６７】
　また、本実施の形態（実施の形態３）における光源装置では、ＬＥＤが複数個配列された光源を説明したが、１個のＬＥＤを光源とした場合でも導光体によって放射光の強度分布を一様に近づけながらＬＥＤの放射光を液晶表示素子に導く構成も考えることができる。
【００６８】
　また、導光体１０２を液晶表示装置に支持固定するための支持部材が導光体１０２の側面に接触すると、その部分において光が散乱或いは吸収され、液晶表示素子へ到達する光量が低下する。従って、支持部材が接触する部分の導光体表面に金属薄膜を蒸着する、或いは鏡面状の反射性部材を接着することによって光を導光体中に戻すことが光の利用効率を低下させないために有効である。
【００６９】
（実施形態４）
　以下に本発明に係る実施形態４について説明する。なお、この実施形態４では、前記実施形態３の構成と同一部分については、同一の部品番号を付し、その構成の説明を省略する。
【００７０】
　図８及び図９に示される如く、実施形態４の特徴は、発光ダイオード（ＬＥＤ）１０３として、例えば青色に発光するＬＥＤ１０３Ｂが適用されている。
【００７１】
　このＬＥＤ１０３Ｂは、図１０に示される如く、基板１０９上に３行６列で２次元的に面配列されてており、例えば行間が2.5mm、列間が２ｍｍとなっている。なお、この配列は限定されるものではない。
【００７２】
　また、導光体１０２の出射面側には、蛍光フィルム１０７が配置されている。この蛍光フィルム１０７は、青色の光で励起され、色変換されるものであり、本実施の形態（実施形態４）では、蛍光体として赤色蛍光体と緑色蛍光体が用いられこの蛍光フィルム１０７を通過する青色光を含めて、白色光が生成されるようになっている。
このような光源装置に対して、前記蛍光フィルム１０７の下流側に液晶表示素子１０１、投写レンズ１０４及びスクリーン１０５を配置し、液晶表示装置を構成することができる。
【００７３】
　この場合、下記の点で有利である。即ち、白色ＬＥＤを用いる場合、その構造としては例えば青色ＬＥＤからの光を導光体で色変換する構造となるが、この場合は一個の白色ＬＥＤの外形寸法が導光体の部分も含むことになるので大きくなる。これに対し、青色を発光するＬＥＤは外形寸法が発光チップの大きさで済むため、これらを配置する方が、単位面積当たりに配置できる数を白色ＬＥＤを配置する場合に比べて多くすることができる。したがって、青色ＬＥＤアレイのみを配置して用い、放射光のエネルギーを強くしておいて色変換を行なう方がより強い白色光を得ることができる。　
【００７４】
（実施形態５）
　以下に本発明に係る実施形態５について説明する。なお、この実施形態５では、前記実施形態３の構成と同一部分については、同一の部品番号を付し、その構成の説明を省略する。
【００７５】
　図１１及び図１２に示される如く、実施形態５の特徴は、発光ダイオード（ＬＥＤ）１０３として、ＲＧＢの各色に発色するＬＥＤ１０３Ｒ、１０３Ｇ、１０３Ｂが適用された点にある。
【００７６】
　このＬＥＤ１０３Ｒ、１０３Ｇ、１０３Ｂは、図１３に示される如く、基板１０９上に３行６列で２次元的に面配列されており、行間が2.5mm、列間が２ｍｍとなっている。また、各色は互い違いに配列されている。なお、この配列は限定されるものではない。
【００７７】
　なお、本実施の形態（実施形態５）では、三原色に対応するＬＥＤを用いているが、カラー画像の生成に支障がなければ赤の代わりに橙、緑の代わりに黄緑等の色で発光するＬＥＤを用いてもよい。
【００７８】
　この実施形態５では、液晶表示素子の各画素に色フィルタが取り付けられているため、光源色として白色光が好ましい。従って、上記基板１０９上の全てのＬＥＤ１０３を同時に点灯するのが一般的であり、これにより、導光体１０２を通過することで、各色が混在し白色光を得ることができる。
【００７９】
　本実施形態では、前述したように外形寸法が白色ＬＥＤDより小さい赤色、青色,又は緑色の原色を発光するＬＥＤを面状、具体的には２次元的に配置して発光させるため、光源の密度が大きくなりより大きな強度の平面光が得られる。
【００８０】
　なお、前記ＬＥＤ１０３Ｒ、１０３Ｇ、１０３Ｂを分離し、各色毎に極めて短時間で順次点灯するようにしてもよい。これは、人間の目の残像を利用するものであり、テレビ画像のインターレース方式を応用した方式である。順次点灯することにより、単位消費電力を少なくすることができ、その分、電池等を長持ちさせることができる。
【００８１】
（変形例）
　図１４には、順次点灯を用いたカラー画像表示装置の変形例が示されている。
この変形例に適用される液晶表示素子１０１の各画素には、色フィルタは存在せず、 ＬＥＤ１０３Ｒ、１０３Ｇ、１０３Ｂの順次点灯に同期して、各色毎の画像を形成し、カラー画像を表示するようになっている。
【００８２】
　すなわち、画像信号は色分離回路２１０に入力され、各色信号毎に分離される。この色分離信号で色分離された各色信号は、同期回路２１２とＬＣＤドライバ２１４へ供給される。ＬＣＤドライ２１４は、入力された色信号に基づいて液晶表示素子１０１を制御し画像を形成する。
【００８３】
　一方、同期回路２１２では、ＬＣＤドライバ２１４によって表示される画像に対応する色信号と同期を取り、マルチプレクサ２１６へ供給する。マルチプレクサ２１６では、Ｒドライバ２１８、Ｇドライバ２２０、Ｂドライバ２２２を順次選択し、それぞれ点灯信号を供給する。これにより、ＬＥＤ１０３Ｒ、１０３Ｇ、１０３Ｂは、液晶表示素子１０１に合う色が点灯される。なお、スクリーン１０５に表示される画像は、前述の如く、残像効果によって３色が混ざった画像が表示される。
【００８４】
　上記構成によれば、液晶表示素子１０１の全画素を用いて各色の画像を表現することができるため、カラーフィルタ方式の液晶表示素子に比べて画像の解像度を３倍とすることができる。
【図面の簡単な説明】
【００８５】
【図１】本実施形態１の光源装置の斜視図である。
【図２】本発明の実施形態１における光源装置の光軸方向断面図である。
【図３】本発明の実施形態１における光源装置の変形例の光軸方向断面図である。
【図４】実施形態１における投写型液晶表示装置の光学系構成図である。
【図５】実施形態2における投写型液晶表示装置の光学系構成図である。
【図６】実施形態３における光源装置及び投写型液晶表示装置の主要な光学系の上面図である。
【図７】実施形態３における光源装置及び投写型液晶表示装置の主要な光学系の斜視図である。
【図８】実施形態４における光源装置及び投写型液晶表示装置の主要な光学系の上面図である。
【図９】実施形態４における光源装置及び投写型液晶表示装置の主要な光学系の斜視図である。
【図１０】実施形態４における光源部の平面図である。
【図１１】実施形態５における光源装置及び投写型液晶表示装置の主要な光学系の上面図である。
【図１２】実施形態５における光源装置及び投写型液晶表示装置の主要な光学系の斜視図である。
【図１３】実施形態５における光源部の平面図である。
【図１４】実施形態５の変形例における光源装置及び投写型液晶表示装置の主要な光学系の上面図及び駆動回路図である。
【符号の説明】
【００８６】
　１０ 導光路ブロック、１１ 反射面、２０ ＬＥＤアレイ、２１ ＬＥＤ、１００ 光源装置、３００，４００ 投写型液晶表示装置、１０１ 液晶表示素子、１０２ 導光体、１０３ ＬＥＤ、１０４ 投写レンズ、１０５ スクリーン、１０７ 蛍光フィルム、２１０ 色分離回路、２１２ 同期回路、２１４ ＬＣＤドライバ、２１６ マルチプレクサ、２１８ Ｒドライバ、２２０ Ｇドライバ、２２２ Ｂドライバ
【図１】
2004110062.tif 000003
【図２】
2004110062.tif 000004
【図３】
2004110062.tif 000005
【図４】
2004110062.tif 000006
【図５】
2004110062.tif 000007
【図６】
2004110062.tif 000008
【図７】
2004110062.tif 000009
【図８】
2004110062.tif 000010
【図９】
2004110062.tif 000011
【図１０】
2004110062.tif 000012
【図１１】
2004110062.tif 000013
【図１２】
2004110062.tif 000014
【図１３】
2004110062.tif 000015
【図１４】
2004110062.tif 000016
【手続補正書】
【提出日】平成15年11月26日(2003.11.26)
【手続補正１】
【補正対象書類名】特許請求の範囲
【補正対象項目名】全文
【補正方法】変更
【補正の内容】
【特許請求の範囲】
【請求項１】
　互いに対向する端面を備え、一方の端面から入射した光を他方の端面まで導き射出する導光手段と、
　前記導光手段における前記一方の端面の側に配置され、複数の光源によって構成された光源部と、
　前記導光手段における前記他方の端面の側に配置され、前記光源から射出された光を変調する光変調素子と、
　前記光変調素子によって変調された光を投写するレンズと、
　を備えたプロジェクタ。
【請求項２】
　前記レンズからの光が投写されるスクリーンをさらに備えたことを特徴とする請求項１に記載のプロジェクタ。
【請求項３】
　前記複数の光源は複数の発光ダイオードであることを特徴とする請求項１に記載のプロジェクタ。
【請求項４】
　前記光変調素子が液晶表示素子であることを特徴とする請求項１に記載のプロジェクタ。